(57)【特許請求の範囲】
【請求項１】
第１の装飾部材と第２の装飾部材の連結部分に一対の取付脚部と取付基部とを形成してこれらを軸着するとともに、
該連結部分に介装した開放規制手段で第１の装飾部材と第２の装飾部材の開放端部の開放が規制されているイヤリングであって、
前記第１の装飾部材と第２の装飾部材の開放端部にはそれぞれ耳たぶの孔に挿通するピンが形成されており、いずれの装飾部材を耳たぶの表側に装着する場合でも、ピンを耳たぶの表側からピアス孔に挿通できるようにしたことを特徴とするリバーシブルピアスイヤリング。
【請求項２】
前記耳たぶの孔に挿通するピンが、フック状をなしており、一方のフック状ピンが耳たぶの孔に挿通されると、他方のフック状ピンは耳たぶの裏側を押圧するようになっていることを特徴とする請求項１記載のリバーシブルピアスイヤリング。
【請求項３】
前記耳たぶの孔に挿通するピンが、ほぼ直線状をなしており、一方のピンが耳たぶの孔に挿通されると、他方のピンは一方のピンの先端に突き合わされるか、一方のピンに交差して耳たぶの孔に挿通されるようになっていることを特徴とする請求項１記載のリバーシブルピアスイヤリング。
【請求項４】
前記連結部分に介装した開放規制手段が、連結部分に介装した板バネもしくはコイルバネ、締付部材からなることを特徴とする請求項１ないし３のいずれかに記載のリバーシブルピアスイヤリング。
【発明の詳細な説明】
【技術分野】
【０００１】
この発明はリバーシブルピアスイヤリングに関するものである。
【背景技術】
【０００２】
従来、両面使用可能（リバーシブル）なイヤリングとしては米国特許第５８２９２７３号明細書（特許文献１参照）のような押えヒンジで耳たぶを挟着するものが知られている。
また、脱落防止機能において優れた両面使用可能（リバーシブル）なピアスイヤリングとしては、国際公開９９／５２３９１号公報（特許文献２参照）のようなバネの挟着力を利用したピアスイヤリングが知られている。
【０００３】
国際公開９９／５２３９１号公報（特許文献２参照）の両面使用可能なイヤリングは、針部が取り付けられた針側本体（装飾部材）と、これに対向する針対向側本体（装飾部材）とを備えたピアス本体が、針部において耳のピアス孔で支持されるピアスであり、針側本体と針対向側本体との基端部同士が回動軸で互いに回動可能に連結され、かつその回動軸の近傍にねじりばね、板ばね等のばね部材が原形状態から弾性変形させられて取り付けられ、そのばねの復元力により針部が針対向側本体に対し常に閉じた閉位置に維持され、かつその復元力により針部が耳のピアス孔から知らない間に抜けて、ピアスを意に反して脱落・紛失してしまうことが回避されるようになっている。
【先行技術文献】
【特許文献】
【０００４】
【特許文献１】米国特許第５８２９２７３号明細書
【特許文献２】国際公開９９／５２３９１号公報
【発明の概要】
【発明が解決しようとする課題】
【０００５】
ちなみに、脱落防止機能において優れた両面使用可能（リバーシブル）なピアスイヤリング（国際公開９９／５２３９１号公報、特許文献２参照）においては、ピン（針部）が装飾部材の一方の端部にのみ取り付けられているため、他方の装飾部材を表側に取り付ける際にはピンを耳たぶの裏側からピアス孔に挿通する必要があった。
したがって、耳たぶのピアス孔へのピアスイヤリングの取付作業が不自然で、取付に手間がかかるという問題があった。
【０００６】
この発明は従来のピアスイヤリングの前記欠点を改良するものであって、一対の装飾部材のそれぞれの開放端部にピンを取り付け、いずれの装飾部材を表側に装着する場合でも、ピンを耳たぶの表側からピアス孔に挿通することができるため、イヤリングの取付作業に無理がなく、取付に手間のかからないリバーシブルピアスイヤリングを提供しようとするものである。
【課題を解決するための手段】
【０００７】
すなわちこの発明のリバーシブルピアスイヤリングは、第１の装飾部材と第２の装飾部材の連結部分に一対の取付脚部と取付基部とを形成してこれらを軸着するとともに、該連結部分に介装した開放規制手段で第１の装飾部材と第２の装飾部材の開放端部の開放が規制されているイヤリングであって、前記第１の装飾部材と第２の装飾部材の開放端部にはそれぞれ耳たぶの孔に挿通するピンが形成されており、いずれの装飾部材を耳たぶの表側に装着する場合でも、ピンを耳たぶの表側からピアス孔に挿通できるようにしたことを特徴とするものである。
【０００８】
この発明のリバーシブルピアスイヤリングにおいて、前記耳たぶの孔に挿通するピンが、フック状をなしており、一方のフック状ピンが耳たぶの孔に挿通されると、他方のフック状ピンは耳たぶの裏側を押圧するようになっていることをも特徴とするものである。
【０００９】
この発明のリバーシブルピアスイヤリングにおいて、前記耳たぶの孔に挿通するピンが、ほぼ直線状をなしており、一方のピンが耳たぶの孔に挿通されると、他方のピンは一方のピンの先端に突き合わされるか、一方のピンに沿って耳たぶの孔に挿通されるようになっていることをも特徴とするものである。
【００１０】
この発明のリバーシブルピアスイヤリングにおいて、前記連結部分に介装した開放規制手段が、連結部分に介装した板バネもしくはコイルバネ、締付部材からなることをも特徴とするものである。
【発明の効果】
【００１１】
以上のように請求項１の発明においては、第１の装飾部材と第２の装飾部材の連結部分に一対の取付脚部と取付基部とを形成してこれらを軸着するとともに、該連結部分に介装したバネ部材で第１の装飾部材と第２の装飾部材の開放端部が突き合わされる方向に付勢されているイヤリングであって、前記第１の装飾部材と第２の装飾部材の開放端部にはそれぞれ耳たぶの孔に挿通するピンが形成されており、いずれの装飾部材を耳たぶの表側に装着する場合でも、ピンを耳たぶの表側からピアス孔に挿通できるようにしたものである。
このように、いずれの装飾部材を表側に装着する場合でも、ピンを耳たぶの表側からピアス孔に挿通することができるため、イヤリングの取付作業に無理がなく、取付に手間のかからないリバーシブルピアスイヤリングを提供することが可能となった。
【００１２】
請求項２の発明においては、前記耳たぶの孔に挿通するピンが、フック状をなしており、一方のフック状ピンが耳たぶの孔に挿通されると、他方のフック状ピンは耳たぶの裏側を押圧するようになっているので、ピアスイヤリングが耳たぶのピアス孔から脱落するおそれがない。
【００１３】
請求項３の発明においては、前記耳たぶの孔に挿通するピンが、ほぼ直線状をなしており、一方のフック状ピンが耳たぶの孔に挿通されると、他方のフック状ピンは一方のフック状ピンの先端に突き合わされるか、一方のフック状ピンに交差して耳たぶの孔に挿通されるようになっているので、ピアスイヤリングとしての外観が保たれていて、ピアスイヤリングとして違和感のない製品を提供することができるようになった。
【００１４】
請求項４の発明においては、前記連結部分に介装した開放規制手段が、連結部分に介装した板バネもしくはコイルバネ、締付部材からなるものであり、開放規制手段の挟着力で耳たぶを挟み付ける中折れ式イヤリングに使用されているパーツをそのまま利用することができ、製造やコストに問題のない製品を提供することができるようになった。
【図面の簡単な説明】
【００１５】
【図１】この発明のリバーシブルピアスイヤリングの第１実施例を示す側面図である。
【図２】その平面図である。
【図３】その底面図である。
【図４】その横断面図である。
【図５】板バネ部分を示す断面図である。
【図６】一対の装飾部材を開放した状態を示す側面図である。
【図７】その平面図である。
【図８】その底面図である。
【図９】その横断面図である。
【図１０】板バネ部分を示す断面図である。
【図１１】本実施例のピアスイヤリングを第１装飾部材を表側にして耳たぶのピアス孔に装着した状態を示す側面図である。
【図１２】本実施例のピアスイヤリングを第２装飾部材を表側にして耳たぶのピアス孔に装着した状態を示す側面図である。
【図１３】この発明のリバーシブルピアスイヤリングの第２実施例を示す側面図である。
【図１４】一対の装飾部材を開放した状態を示す側面図である。
【図１５】本実施例のピアスイヤリングのピンを耳たぶのピアス孔に交差して装着した状態を示す側面図である。
【図１６】本実施例のピアスイヤリングのピンの先端を耳たぶのピアス孔内で突き合わせて装着した状態を示す側面図である。
【発明を実施するための形態】
【００１６】
以下、この発明のピアスイヤリングの実施の形態を図面に基いてより詳しく説明する。
【００１７】
図１ないし図１２に示す第１実施例において、１１は第１装飾部材であり、１２は第２装飾部材であって、その全体形状はほぼ同じ円弧状で、組み付けた状態ではリング状をなし、この例では前面側にダイヤモンド等からなる宝石２２が取り付けてある。もちろん、両者はいずれの側を耳たぶの表側に向けて装着してもよい。なお素材としてはともに金（Ｋ−１８等）やプラチナ、銀等が使用可能である。
前記第１装飾部材１１の連結部分には一対の取付脚部１３，１４が一体に備えられ、これと対向して第２装飾部材１２の連結部分には前記取付脚部１３，１４間にはまり合う取付基部１５が一体に形成されている。そして、これらに開けられた貫通孔１６，１７に軸ピン１８を挿通してこの部位を連結している
【００１８】
前記第１の装飾部材１１と第２の装飾部材１２の開放端部にはそれぞれ耳たぶに設けたピアス孔２１に挿通するピン１９，２０が形成されている。
したがって、いずれの装飾部材１１，１２を耳たぶの表側に装着する場合でも、ピン１９，２０を耳たぶの表側からピアス孔２１に挿通することができるため、イヤリングの取付作業に無理がなく、取付に手間のかからないリバーシブルなピアスイヤリングを提供することが可能となった。
【００１９】
この実施例においては図４および図５に示すように、前記連結部分に前記一対の装飾部材１１，１２の他方の装飾部材１２に沿って長尺の板バネ３１が取り付けてある。そして板バネ３１の先端を前記一方の装飾部材１１の端部内周に沿って当接させることにより、前記一対の装飾部材１１，１２の他端を閉じる方向に付勢するようになっている。
３２は他方の装飾部材１２の適所に設けた固定用の溝、３３はその中にはめ込む板バネ３１の端部、３４は板バネ３１を保持する固定用バーである。もちろん、この固定用バー３４を板バネ３１のほぼ全長を覆う長さのカバーとすれば、板バネ３１が見えなくなって見栄えが良く、したがってピアスイヤリングの装飾性を向上させることができる。
【００２０】
本実施例のピアスイヤリングの一対の装飾部材１１，１２の開放端部の間に耳たぶを挿通するため、一対の装飾部材１１，１２を開放した状態を図６ないし図１０に示す。
図１０に示すように一対の装飾部材１１，１２を開放すると、前記一方の装飾部材１１の端部内周に沿って当接した前記板バネ３１は取付基部１５の先端に押し上げられて負荷が大きくなるのである。したがって、板バネ３１によって前記一対の装飾部材１１，１２は先端を閉じる方向により大きな付勢力を受けるようになっている。
もちろん、前記板バネ３１に代えてコイルバネ等のバネ部材や、ワッシャを介してかしめ付ける締付部材を用いることもできる。
【００２１】
図１１は、この実施例のピアスイヤリングを実際に耳たぶのピアス孔２１に装着した状態を示すものであり、一対の装飾部材１１，１２の開放端部の間に耳たぶをはめ込み、第１装飾部材１１のピン１９を耳たぶのピアス孔２１に挿通した状態を示すものである。
また図１２は、一対の装飾部材１１，１２の開放端部の間に耳たぶをはめ込み、第２装飾部材１２のピン２０を耳たぶのピアス孔２１に挿通した状態を示すものである。
このように、いずれの装飾部材１１，１２を耳たぶの表側に装着する場合でも、ピン１９，２０を耳たぶの表側からピアス孔２１に挿通することができるため、イヤリングの取付作業に無理がなく、取付に手間のかからないリバーシブルなピアスイヤリングを提供することが可能となった。
なお、この実施例においては、前記耳たぶのピアス孔２１に挿通するピン１９，２０が、フック状をなしており、例えば一方のフック状ピン１９が耳たぶのピアス孔２１に挿通されると、他方のフック状ピン２０は開放規制手段によって耳たぶの裏側を押圧するようになっているので、装着されたピアスイヤリングが耳たぶのピアス孔２１から脱落するおそれがない。
【００２２】
図１３ないし図１６に示す第２実施例において、４１は第１装飾部材であり、４２は第２装飾部材であって、その全体形状はほぼ同じ円弧状で、組み付けた状態ではリング状をなし、この例では前面側にダイヤモンド等からなる宝石４３が取り付けてある。もちろん、両者はいずれの側を耳たぶの表側に向けて装着してもよい。なお素材としてはともに金（Ｋ−１８等）やプラチナ、銀等が使用可能である。
なお、前記第１装飾部材４１と第２装飾部材４２の連結部分の構造については、第１実施例と同様である。
【００２３】
図１３ないし図１５において、前記第１の装飾部材４１と第２の装飾部材４２の開放端部には、それぞれ耳たぶに設けたピアス孔５１に挿通するほぼ直線状のピン４４，４５が形成されている。
この実施例においては、一方のピン４３が耳たぶのピアス孔５１に挿通されると、図１５に示すように、他方のピン４５は一方のピン４４に交差して耳たぶのピアス孔５１に挿通されるようになっている。
【００２４】
図１６では、一方のピン４４が耳たぶのピアス孔５１に挿通されると、他方のピン４５は一方のピン４４に突き合わされた状態で耳たぶのピアス孔５１に挿通されるようになっている。
この実施例においては、ピアスイヤリングとしての外観が保たれていて、ピアスイヤリングとして違和感のない製品を提供することができるようになった。
したがって、いずれの装飾部材４１，４２を耳たぶの表側に装着する場合でも、ピン４４，４５を耳たぶの表側からピアス孔５１に挿通することができるため、イヤリングの取付作業に無理がなく、取付に手間のかからないリバーシブルなピアスイヤリングを提供することが可能となった。
【産業上の利用可能性】
【００２５】
この発明は以上の通り、中折れ式で両側に装飾部材を備えたピアスイヤリングであれば、そのような形状、構造のものにも適用することができる。
したがって、図示したような円弧状の装飾部材を用いた場合のみならず、その他のデザインや形状の装飾部材を用いたピアスイヤリング等にも適用可能であることはいうまでもない。
【符号の説明】
【００２６】
１１  第１装飾部材
１２  第２装飾部材
１３，１４  取付脚部
１５  取付基部
１６，１７  貫通孔
１８  軸ピン
１９，２０  ピン
２１  ピアス孔
２２  宝石
３１  板バネ
３２  固定用の溝
３３  板バネの端部
３４  固定用バー
４１  第１装飾部材
４２  第２装飾部材
４３  宝石
４４，４５  ピン
５１  ピアス孔
【要約】
【課題】一対の装飾部材のそれぞれの開放端部にピンを取り付け、いずれの装飾部材を表側に装着する場合でも、ピンを耳たぶの表側からピアス孔に挿通することができるため、イヤリングの取付作業に無理がなく、取付に手間のかからないリバーシブルピアスイヤリングを提供しようとするものである。
【解決手段】第１の装飾部材と第２の装飾部材の連結部分に一対の取付脚部と取付基部とを形成してこれらを軸着するとともに、該連結部分に介装した開放規制手段で第１の装飾部材と第２の装飾部材の開放端部の開放が規制されているイヤリングであって、前記第１の装飾部材と第２の装飾部材の開放端部にはそれぞれ耳たぶの孔に挿通するピンが形成されていることを特徴とするリバーシブルピアスイヤリング。
【選択図】 図１１【図１】
0005822373.tif 000002
【図２】
0005822373.tif 000003
【図３】
0005822373.tif 000004
【図４】
0005822373.tif 000005
【図５】
0005822373.tif 000006
【図６】
0005822373.tif 000007
【図７】
0005822373.tif 000008
【図８】
0005822373.tif 000009
【図９】
0005822373.tif 000010
【図１０】
0005822373.tif 000011
【図１１】
0005822373.tif 000012
【図１２】
0005822373.tif 000013
【図１３】
0005822373.tif 000014
【図１４】
0005822373.tif 000015
【図１５】
0005822373.tif 000016
【図１６】
0005822373.tif 000017